(57)【要約】スポーツ用品をロックし安全に固定する方法及び装置が開示される。より詳しくは、本スキー板、スキー板とスキーストック、スキーストック及び／又はスノーボードを盗難防止のためにロックし安全に固定する方法及び装置が開示される。ロック機構は無線制御手段によってアクティブにすることができる。
2013500754.tif 000002
【特許請求の範囲】
【請求項１】
安全なスキー板、スキーストック及び／又はスノーボードロック装置であって、前記装置は、
支持体と、
前記支持体に結合され、少なくとも１つ以上のスキー板、スキー板とスキーストック、スキーストック及び／又はスノーボードを安全にロックし得る少なくとも１つのロック機構とを備え、
前記少なくとも１つのロック機構は無線制御手段を用いてアクティブにすることができる、
ことを特徴とする、安全なスキー板、スキーストック及び／又はスノーボードロック装置。
【請求項２】
前記スキー板、スキーストック及び／又はスノーボードロック装置は、盗難を防止できるとともに無線制御手段を用いてアクティブ化できる、請求項１記載の安全なスキー板、スキーストック及び／又はスノーボードロック装置。
【請求項３】
前記無線アクティブ化手段はカード又はタグを含む無線周波数識別（ＲＦＩＤ）システムである、請求項１又は２記載の安全なスキー板、スキーストック及び／又はスノーボードロック装置。
【請求項４】
前記支持体は、少なくとも２つ以上の又は複数の垂直又はほぼ垂直の脚部を備える、請求項１−３のいずれかに記載の安全なスキー板、スキーストック及び／又はスノーボードロック装置。
【請求項５】
前記スキー板、スキーストック及び／又はスノーボードロック装置の脚部に少なくとも１つ以上の水平又はほぼ水平の支持部材が取り付けられている、請求項４記載の安全なスキー板、スキーストック及び／又はスノーボードロック装置。
【請求項６】
前記水平又はほぼ水平の支持部材に、少なくとも１つ以上のスキー板、スキー板とスキーストック、スキーストック及び／又はスノーボードを安全に固定し得る少なくとも１つ以上、少なくとも２つ以上又は複数のロック機構が存在する、請求項５記載の安全なスキー板、スキーストック及び／又はスノーボードロック装置。
【請求項７】
前記ロック機構は、少なくとも１つ以上のスキー板、スキー板とスキーストック、スキーストック及び/又はスノーボードと係合しそれらを締め付けることができる任意の適切な機械的手段である、請求項１−６のいずれかに記載の安全なスキー板、スキーストック及び／又はスノーボードロック装置。
【請求項８】
前記ロック機構は、一連のＵ字形部材を備える回転ロック機構であり、前記Ｕ字形部材がスキー板、スキー板とスキーストック、スキーストック及び／又はスノーボードの周囲にスナグフィットする、請求項１−７のいずれかに記載の安全なスキー板、スキーストック及び／又はスノーボードロック装置。
【請求項９】
前記ロック機構は、ラッチと、スノーボードを保持し得る第１のスロット、１つ以上のスキーストックを保持しうる第２のスロット及び１つ又は１対のスキー板を保持し得る第３のスロットとを備える、請求項１−８のいずれかに記載の安全なスキー板、スキーストック及び／又はスノーボードロック装置。
【請求項１０】
前記ロック機構の動作は、ＲＦＩＤカード又はタグを含むプリペイド電子無線システムによって制御される、請求項１−９のいずれかに記載の安全なスキー板、スキーストック及び／又はスノーボードロック装置。
【請求項１１】
支払いはＲＦＩＤカード又はタグを前記ロック装置上の受信機でスキャンすることによって行われるか、支払いはスキーヤ／スノーボーダに所定期間前記ロック装置の使用を可能にするＲＦＩＤカード又はタグに対して前もって行われるため、前記ＲＦＩＤカード又がタグが前記いずれかの支払いのために受信機でスキャンされると、特定の利用者を識別し、空スペースをスキーや又はスノーボ−ダにスキー板、スキーストック及び／又はスノーボードの保管のために使用可能にすることができる、請求項１０記載の安全なスキー板、スキーストック及び／又はスノーボードロック装置。
【請求項１２】
前記ロック装置は、ロックが使用可能であるか使用不能であるかをスキーや又はスノーボーダに知らせるために使用し得る一連のＬＥＤを備える、請求項１−１１のいずれかに記載の安全なスキー板、スキーストック及び／又はスノーボードロック装置。
【請求項１３】
前記ロック装置は太陽電池（太陽電池パネル）、風力発電機、蓄電池及び／又は固定電源を備える、請求項１−１２のいずれかに記載の安全なスキー板、スキーストック及び／又はスノーボードロック装置。
【請求項１４】
スキー板、スキーストック及び／又はスノーボードを固定する方法であって、前記方法は、
支持体を準備するステップ、
前記支持体に結合され、少なくとも１つ以上のスキー板、スキー板とスキーストック、スキーストック及び／又はスノーボードを安全にロックし得る少なくとも１つのロック機構を準備するステップを備え、
前記少なくとも１つのロック機構は無線制御手段を用いてアクティブにすることができる、
ことを特徴とする、スキー板、スキーストック及び／又はスノーボードを固定する方法。
【請求項１５】
前記ロック機構はストラットを備え、前記ストラットは一端に固定されたフロントクランプ及び前記ストラットに沿ってスライドしロックし得るバッククランプを有し、それによって少なくとも１つ以上のスキー板、スキー板とスキーストック、スキーストック及び／又はスノーボードを固定する、請求項１−１４のいずれかに記載の安全なスキー板、スキーストック及び／又はスノーボードロック装置。
【請求項１６】
前記ロック機構は、ＲＦＩＤカード又はタグが前記ロック装置上の受信機でスキャンされる前記ロック装置が動作可能になるまで、ばねによって前記ストラットの後部に引っ込められるバッククランプを備える、請求項１−１５のいずれかに記載の安全なスキー板、スキーストック及び／又はスノーボードロック装置。
【請求項１７】
前記ロック機構はロック板を備え、前記ロック板は、前記ロック装置が動作可能になるとき、スキーヤ又はスノーボーダが前記バッククランプをスキー板、スキー板とスキーストック、スキーストック及び／又はスノーボードに接するまで引き寄せることを許すが、ＲＦＩＤカード又はタグが前記ロック装置上の受信機で再びスキャンされるまで、前記バッククランプが引っ込むのを阻止し、それによって少なくとも１つ以上のスキー板、スキー板とスキーストック、スキーストック及び／又はスノーボードを前記フロント及びバッククランプ間に固定する、請求項１−１６のいずれかに記載の安全なスキー板、スキーストック及び／又はスノーボードロック装置。
【請求項１８】
スキー板、スキー板とスキーストック、スキーストック及び／又はスノーボードの安全な保管への請求項１−１７に記載のスキー板、スキーストック及び／又はスノーボードロック装置の使用。
【請求項１９】
図１−２７に示され、記載されたスキー板、スキーストック及び／又はスノーボードロック装置。
【発明の詳細な説明】
【技術分野】
【０００１】
本発明は、スポーツ用品をロックし安全に固定する方法及び装置に関する。より詳しくは、本発明はスキー板、スキーストック及び／又はスノーボードを盗難防止のためにロックし安全に固定する方法及び装置に関する。
【背景技術】
【０００２】
スキー及びスノーボードは極めてポピュラーなウィンタースポーツである。世界中には２億人を超えるスキーヤがいる。今のところ、スキーヤやスノーボーダがレストランやカフェに行きたいとき、彼らのスキー板及びスノーボードを安全に保管する選択肢が殆どない。その結果、スキー板及びスノーボードは常に付き添いのない安全でない状態に放置され、盗まれる可能性がある。
【０００３】
現在様々な装置が存在する。しかしながら、これらの既存の装置はスキー板、スキーストック及び／又はスノーボードを安全に保管するためにその使用が限定されている。例えば、これらの従来の装置は（１）完全閉鎖ロッカー、（２）コイン動作式ヒンジドアを有する固定ブラケットからなるラック、（３）利用するために南京錠の事前購入を利用者に要求するラック、及び（４）携帯用ケーブルロックの形を取る。
【０００４】
盗難防止のためにスキー板を安全に保管する他の装置も設計されているが、それらは現在使用されていない。これらの装置はすべて共通の特性を有し、上述した装置に形式上類似する。これらの装置は一連のロック可能な金属ブラケットを有するラックからなる。ラックはスキー板のテールをホルダ上に載置するように設計される。次にスキー板の上半分を金属ブラケット内に入れる。各ブラケットは閉鎖してロックすることができるヒンジドア又はレバーを有する。ヒンジドア又はレバーはコイン動作式ロックを含むことができる。
【０００５】
現在使用中のこれらの盗難防止装置及び他の現在の設計装置はすべて重大な欠点を有する。例えば、ロッカーは高価で、かさばり、目障りである。これらは多大の設置作業も必要とし、その費用もそれらの価額に加算される。更に、雪がロッカーに吹きだまり、ロッカーを使用不能にし得る。スキー板をホルダ上に載置する必要がある固定のブラケットからなるロッカーは調整可能でなく、異なる長さのスキー板を収容することができない。また、キーはこの種の装置に使用するには小さく不恰好である。更にキーは紛失し易く、紛失時にはスケルトンキー（マスタキー）又はキー交換が必要になる。ラックもいくつかの新型のスノーボードを収容し得ない。利用のために南京錠の事前購入を利用者に要求するラックは、この種の装置は利用者が金属バーをスロットに通し南京錠を金属バーに契合させる必要があるので、使いにくい。南京錠も紛失しやすく、忘れやすい。また、携帯用ケーブルロックは、利用者が常時それを自分で携帯しなければならないという欠点を有する。携帯用ケーブルロックは典型的には３輪組み合わせ錠からなり、使用し難く、コード番号を忘れることがあり、またワイヤケーブルが容易に切断され得る。
【０００６】
本発明の少なくとも一つの態様の目的は、上述した問題の少なくとも一つ以上を除去もしくは緩和することにある。
【０００７】
本発明の少なくとも一つの態様の他の目的は、安全な盗難防止装置をもたらす改良されたスキー板、スキーストック及び／又はスノーボードロックを提供することにある。
【０００８】
本発明の少なくとも一つの態様の更に他の目的は、最小の設置作業で済み、保守が容易で、様々な気候状態及び雪状態に順応できる安全なスキー板、スキーストック及び／又はスノーボードロックを提供することにある。
【０００９】
本発明の少なくとも一つの態様の他の目的は、目立たず、簡単で使いやすい改良された安全なスキー板、スキーストック及び／又はスノーボードロックを提供することにある。
【００１０】
本発明の少なくとも一つの態様の他の目的は、様々なサイズ及びタイプのスキー板、スキーストック及び／又はスノーボードを収容する安全なスキー板、スキーストック及び／又はスノーボードロックを提供することにある。
【発明の概要】
【課題を解決するための手段】
【００１１】
本発明の第１の態様によれば安全なスキー板、スキーストック及び／又はスノーボードロック装置が提供され、前記スキー板、スキーストック及び／又はスノーボードロック装置は、
支持体と、
前記支持体に結合され、少なくとも１つ以上のスキー板、スキー板とスキーストック、スキーストック及び／又はスノーボードを安全にロックし得る少なくとも１つのロック機構とを備え、
前記少なくとも１つのロック機構は無線制御手段を用いてアクティブにすることができる、
ことを特徴とする。
【００１２】
従って、本発明は盗難を防止できるとともに無線制御手段を用いてアクティブ化できる安全なスキー板、スキーストック及び／又はスノーボードロック装置に関する。
【００１３】
典型的には、無線アクティブ化手段はカード又はタグを含む無線周波数識別（ＲＦＩＤ）システムなどの任意の形態の電子無線制御手段とすることができる。
【００１４】
前記スキー板、スキーストック及び／又はスノーボードロック装置は、少なくとも２つ以上の又は複数の垂直又はほぼ垂直の脚部を含むことができる支持体を備える。
【００１５】
前記スキー板、スキーストック及び／又はスノーボードロック装置の脚部に少なくとも１つ以上の水平又はほぼ水平の支持部材を取り付けることができる。この水平又はほぼ水平の支持部材には、少なくとも１つ以上のスキー板、スキー板とスキーストック、スキーストック及び／又はスノーボードを安全に固定し得る少なくとも１つ以上、少なくとも２つ以上又は複数のロック機構を存在させることができる。
【００１６】
前記ロック機構は、少なくとも１つ以上のスキー板、スキー板とスキーストック、スキーストック及び/又はスノーボードと係合しそれらを締め付けることができる任意の適切な機械的手段とすることができる。特定の実施形態においては、前記ロック機構は一連のＵ字形部材を備える回転ロック機構とすることができる。よって、Ｕ字形部材はスキー板、スキー板とスキーストック、スキーストック及び／又はスノーボードの周囲にとまりばめすることができる。
【００１７】
特定の実施形態においては、前記装置はスノーボード用の第１の隔室（例えば細長いスロット）、スキーストック用の第２のスロット及び１つのスキー板又は１対のスキー板用の第３のスロットを備えることができる一連のロック部材を備えることができる。前記ロック装置は、ばね荷重を与えられ、非使用（空）時に直立位置（例えば開位置）に維持できるラッチ機構を備えることができる。使用中、スキーヤ又はスノーボーダは少なくとも１つ以上のスキー板、スキー板とスキーストック、スキーストック及び／又はスノーボードを前記ロック機構のそれぞれのスロット内に入れたら、ラッチを押し下げてロック部材のロック機構をロックすることができる。前記ロック部材には任意の適切な形状及び／又はタイプのスロット及び／又は隔室を使用することができ、このロック部材はスキー板、スキー板とスキーストック、スキーストック及び／又はスノーボードの任意の一以上の組み合わせを安全に保管するために使用することができる。
【００１８】
特定の実施形態においては、前記ロック機構はストラットの前部に固定されたフロントクランプ及び前記ストラットに沿って前後に移動し得るバッククランプを備えることができる。前記フロント及びバッククランプの間にスキー板、スキー板とスキーストック、スキーストック及び／又はスノーボードをクランプすることができる。
【００１９】
前記ロック機構の動作はＲＦＩＤカード又はタグを含むプリペイド電子無線システムによって制御することができる。支払いはＲＦＩＤカード又はタグを受信機で読み取るごとに行われるか、もしくは、スキーヤ／スノーボーダが所定期間（例えば２４時間）有効のＲＦＩＤカード又はタグ（「ロックパス」）を予め購入することにより行われるようにし得る。この場合、スキーヤ／スノーボーダはリゾート地内の任意のロック装置を「ロックパス」が有効である期間中彼らが望む限り何度でも使用することができる。「ロックパス」の期限が切れても、スキーヤ／スノーボーダはロック装置に保管されたままの自分の用具を取り出すことができるが、別の「ロックパス」を購入するまでロック装置を再利用することはできない。特定の実施形態においては、ロック機構は、ＲＦＩＤカード又はタグがスキー板、スキーストック及び／又はスノーボードロックのロック装置上の受信機でスキャンされると、使用可能になり、特定の利用者を識別し、空スペースをスキーや又はスノーボ−ダがスキー板、スキーストック及び／又はスノーボードを保管するために使用可能にすることができる。
【００２０】
スキー板、スキーストック及び／又はスノーボードロックは、ロックが使用可能であるか使用不能であるかをスキーや又はスノーボーダに知らせるために使用し得る一連のＬＥＤを備えることもできる。
【００２１】
スキー板、スキーストック及び／又はスノーボードロックは、スキー板、スキーストック及び/又はスノーボードロック機構を給電するために使用し得る太陽電池パネルを供えることもできる。しかし、ロック装置の給電には、太陽電池、風力発電、蓄電池及び／又は固定電源などの任意の手段を使用することができる。
【００２２】
本発明の第２の態様によれば、スキー板、スキーストック及び／又はスノーボードを固定する方法が提供され、前記方法は、
支持体を準備するステップ、
前記支持体に結合され、少なくとも１つ以上のスキー板、スキー板とスキーストック、スキーストック及び／又はスノーボードを安全にロックし得る少なくとも１つのロック機構を準備するステップを備え、
前記少なくとも１つのロック機構は無線制御手段を用いてアクティブにすることができる、
ことを特徴とする。
【００２３】
典型的には、前記方法は第１の態様で記載したスキー板、スキーストック及び／又はスノーボードロック装置を使用することができる。
【００２４】
本発明の第３の態様によれば、スキー板、スキー板とスキーストック、スキーストック及び／又はスノーボードの安全な保管への第１の態様で記載したスキー板、スキーストック及び／又はスノーボードロック装置の使用が提供される。
【図面の簡単な説明】
【００２５】
【図１】本発明の一実施形態によるスキー板、スキーストック及び／又はスノーボードロック装置を示す図である。
【図２】図１の装置に示されるロック機構の上面図である。
【図３】図１に示すスキー板、スキーストック及び／又はスノーボードロック装置の拡大図で、ロック機構を示す。
【図４】図１に示す装置における太陽電池パネルを示す。
【図５】本発明の他の実施形態によるスキー板、スキーストック及び／又はスノーボードロック装置を示す図である。
【図６】図５に示す装置の一部分を構成するロック機構を示す。
【図７】図５に示す装置の一部分を構成するロック機構を示す。
【図８】図６及ぶ図７に示すロック機構の上面図である。
【図９】使用中の本発明の更に他の実施形態によるスキー板、スキーストック及び／又はスノーボードロック装置を示す図である。
【図１０】本発明の更に他の実施形態によるスキー板、スキーストック及び／又はスノーボードロック装置を示す図である。
【図１１】図１０に示すロック機構の上面図である。
【図１２】本発明の他の実施形態によるバッククランプを示し、このバッククランプは金属ストラットに取り付けられ、このストラットに沿って摺動可能である。
【図１３】図１２に示すバッククランプを示し、金属ストラットが除去されて金属引っ張りばね及び電力ケーブルが見えている。
【図１４】本発明の他の実施形態による図１２及び図１３に示すクランプ機構の他の図である。
【図１５】本発明の他の実施形態による図１２及び図１３に示すクランプ機構の他の図である。
【図１６】本発明の他の実施形態による図１２及び図１３に示すクランプ機構の他の図である。
【図１７】図１４〜図１６に示すクランプ機構の側断面図である
【図１８】図１４〜図１６に示すクランプ機構の分解図である
【図１９】本発明による金属ストラットに取り付けられているフロントクランプの図である。
【図２０】電力ケーブルが見えるように金属ストラットが除去された、図１９に示すフロントクランプの図である。
【図２１】本発明によるスキー板、スキーストック及び／又はスノーボードロック装置の図である。
【図２２】図２１に示すスキー板、スキーストック及び／又はスノーボードロック装置の一部分の拡大図で、ロック機構を示す。
【図２３】図２１に示すスキー板、スキーストック及び／又はスノーボードロック装置の一部分の拡大図で、ロック機構を示す。
【図２４】本発明の他の実施形態によるスキー板、スキーストック及び／又はスノーボードロック装置の図である。
【図２５】本発明の他の実施形態によるスキー板、スキーストック及び／又はスノーボードロック装置の図である。
【図２６】本発明の他の実施形態によるクランプ機構の図である。
【図２７】本発明の他の実施形態によるクランプ機構の図である。
【発明を実施するための形態】
【００２６】
一般的に言えば、本発明は、少なくとも１つ以上のスキー板、スキー板とスキーストック、スキーストック及び／又はスノーボードを無線制御手段によって操作されるスキー板、スキーストック及び／又はスノーボードロックを用いて安全に保管する方法及び装置を提供するものである。
【００２７】
図１に示すように、本発明によるスキー、スキーストック及び／又はスノーボードロック装置は全体が１００で示されている。図１は、装置１００が２つのほぼ垂直の脚部１１０、１１２を備えることを示す。垂直脚部１１０は２つのボトム支持部１１４、１１６を有し、垂直脚部１１２も２つのボトム支持部１１８、１２０を有する。ボトム支持部１１４、１１６、１１９、１２０は安定性をもたらす。
【００２８】
図１は、装置１００が水平筋交いの形の下部支持部材１２２及び上部支持部材１２４を備えることを示す。上部支持部材１２４はほぼ水平で、脚部１１０及び１１２に取り付けられる。支持部材１２４の位置は異なる長さのスキー板、スキー板とスキーストック、スキーストック及び／又は異なる長さ及びサイズのスノーボードを収容するために脚部１１０、１１２上で調整可能である。従って、装置１００は異なるタイプのスキー板、スキー板とスキーストック、スキーストック及び／又はスノーボードに適応させることができる。
【００２９】
一連のロック機構１２６が示されている。図１には、３つのロック機構１２６がアクティブ位置にあり、スキー１２８が保持されている状態が示されている。ロック機構１２６はスキー及び／又はスノーボードのビンディングの中央部、上部又は下部の周囲に位置するように設計することができる。
【００３０】
図２はロック機構１２６の拡大図である。ロック機構１２６は、アクティブ位置から非アクティブ位置へ回転可能な２つのクランプ１３０，１３２を備える。図２の左側には非アクティブ位置にあるロック機構１２６が示されているが、図２の右側にはアクティブ位置にあるロック機構１２６が示され、クランプ１３０，１３２は１対のスキー板１２８を把持している。
【００３１】
図３はロック機構１２６の更なる描写であり、ロック機構の各側のクランプ１３０，１３２は少なくとも１つ以上のスキー板、スキー板とスキーストック、スキーストック及び／又はスノーボードを把持する２つのＵ字型部材を備える。ロック機構１２６は連結部材１３４を用いて水平支持部材１２４に取り付けられる。
【００３２】
図４は装置１００のロック機構１２６を動作させるために使用される太陽電池パネル１３６の更なる描写である。
【００３３】
ロック機構の動作は有効なＲＦＩＤカード又はタグなどのプリペイド電子無線システムによって制御することができる。支払いは、ＲＦＩＤカード又はタグを受信機で読み取るごとに行なわれるか、スキーヤ／スノーボーダが所定期間（例えば２４時間）のＲＦＩＤカード又はタグ（「ロックパス」）を予め購入することによって行われるようにし得る。この場合、スキーヤ／スノーボーダはリゾート地内の任意のロック装置を「ロックパス」が有効である期間中彼らが望む限り何度でも使用することができる。「ロックパス」の期限が切れても、スキーヤ／スノーボーダはロック装置に保管されたままの自分の用具を取り出すことができるが、別の「ロックパス」を購入するまでロック装置を再度使用することはできない。ロック機構１２６は、有効なＲＦＩＤカード又はタグが受信機でスキャンされると、使用可能になる。いくつかの実施形態においては、受信機はロック機構１２６をオン状態にすることができる。このアクティブ状態中に、ロック機構１２６は図２の左側に示す開位置に移動し得る。少なくとも１つ以上のスキー板、スキー板とスキーストック、スキーストック及び／又はスノーボードをロック機構１２６内に置くと、ロック機構自体が、少なくとも１つ以上のスキー板、スキー板とスキーストック、スキーストック及び／又はスノーボードがロック機構１２６内に置かれたことを自動的に検出することができ、またＲＦＩＤカード又はタグの更なる読み取りでロック機構１２６をロック位置へ起動することができる。装置１００上の受信機は任意の適切な位置に設置することができ、例えば個々のロック機構に又は所定数のロック機構１２６を制御する装置１００の端に設置することができる。
【００３４】
装置１００は、どのロックが使用可能でどのロックが使用不能であるかをスキーヤ及ぶスノーボーダに知らせるために使用できる一連のカラーＬＥＤ光を備えることもできる。
【００３５】
支払い後に、利用者は少なくとも１つ以上のスキー板、スキー板とスキーストック、スキーストック及び／又はスノーボードをロック機構１２６内に置くことができる。したがって、少なくとも１つ以上のスキー板、スキー板とスキーストック、スキーストック及び／又はスノーボードの収容は直感的ですばやくできる。一旦用具が正しい位置に収容されると、手動ラチェット機構又は電気作動ソレノイドを用いてロック機構１２６を締めることができ、よって用具の取り出し及び窃盗を防ぐことができる。
【００３６】
一旦少なくとも１つ以上のスキー板、スキー板とスキーストック、スキーストック及び／又はスノーボードが収容され、ロック機構１２６が起動されると、その用具は今や安全に保管されているので、無人で放置することができる。ロック機構１２６は、開放のための無線メッセージがロック機構１２６に送られたときのみ開放する。上述したように、任意の適切なタイプの無線手段を使用できるが、例えばＲＦＩＤカード又はタグを使用し、受信機でスキャンしてロック機構１２６を起動及び解除することができる。置き忘れた場合にＲＦＩＤカード又はタグを交換もしくは無効化する必要がある場合には、リゾート従業員又はタグ販売業者もスキーヤ又はスノーボーダのアカウントへのアクセス権を有する。
【００３７】
装置１００及び一連のロック機構１２６の実際の利用料金は各リゾートで決定できる。更に、製造及びメインテナンスの資金調達のために装置内に広告スペースを含めることができる。装置１００は金属、合金及び／又はプラスチックなどの適切な材料で製造することができる。
【００３８】
図５は、本発明の他の実施形態によるスキー板、スキーストック及び／又はスノーボーダロック装置の描写であり、全体を２００で示している。装置２００は２つの主支持脚部２１０、２１２及びほぼ水平の上部支持部材２１６を備える。水平支持部材２１６には一連のロック部材２１４が設置される。装置２００は装置２００に電力を供給する太陽電池パネル装置２３６も有する。
【００３９】
図６及び図７はロック機構２１４のより詳細な図である。図６に示すように、ロック部材２１４は本体２１６を備え、本体２１６にはスノーボードをしっかり保持するのに適した長いスロット２１８、スキーストック又は１対のスキーストックをしっかり保持するのに適した第２のスロット２２０及びスキー板又は１対のスキー板をしっかり保持し得る第３のスロット２２２がある。図６に示すように、ロック部材２１４は各側に一連のスロット２１８、２２０、２２２を備える。図６の左側には、開位置のラッチ２２４が示されている。使用中、ラッチ２２４は図６の右側に示すように押し下げてロックすることができる。図７は図６に類似するが、左側のロック機構２１４もロック位置にある状態を示している。
【００４０】
図８はロック部材２１４の上面図を示し、この図はスノーボードをしっかり固定し得る細長いスロット２１８、スキーストック又は１対のスキーストックをしっかり固定し得る第２のスロット２２０及びスキー板又は１対のスキー板をしっかり固定し得る第３のスロット２２２を明瞭に示している。
【００４１】
図９は他の装置３００の描写であり、この装置３００は長手部材３１０及び２つの延長脚部３１２、３１４を備える。長手部材３１０に沿って一連のロック部材３１６が存在する。図９に示すように、１つのロック部材３１８が１対のスキー板３２０を保持するために使用され、１つの別のロック部材３１８がスノーボード３２２を保持するために使用されている。
【００４２】
図１０は、少なくとも１つ以上のスキー板、スキー板とスキーストック、スキーストック及び／又はスノーボードをしっかり固定し得る他の装置４００の描写である。図１０に示す装置４００は２つの脚部４１０、４１２及び上部支持部材４１４を備え、上部支持部材４１４に沿って一連のロック部材４１６が設置される。図１１は装置４００の上面図であり、ロック部材４１６を示す。
【００４３】
図１２〜図２０、図２６及び図２７は本発明によるクランプ５００を示す。図１４、図１５及び図１６に示されるように、クランプ５００はバッククランプ５１０及びフロントクランプ５１２を備え、これらのクランプ５１０及び５１２はストラット５１８の両端部にボルト留めされ、バッククランプ５１０はスキー板、スキー板とスキーストック又はスノーボードなどの用具に係合するように前後に容易に移動し得るように構成されている。
【００４４】
図１８は全クランプ機構の種々の部分の分解図であり、バッククランプ５１０は上部５３２及び下部５３０を備える。フロントクランプ５１２は上部５２８及び下部５２６を備える。バック及びフロントクランプ５１０、５１２はプラスチック射出モールド成形又はダイキャスト成形などの任意の適切な手段によって作ることができる。バック及びフロントクランプ５１０、５１２はストラット５１８で連結されることが示され、ストラット５１８はステンレススチールなどの強い材料からなる。ストラット５１８にロック板５１９が取り付けられることが示されている。図１８に示すロック機構はスキー板、スキー板とスキーストック又はスノーボードを把持するために使用し得るフロントゴムグリップ５３６及びバックゴムグリップ５３８を備える。バック及びフロントクランプ５１０、５１２の間を接続する螺旋ケーブル５５２も示されている。螺旋ケーブル５５２はソレノイド／リニアアクチュエータの電力を供給し、命令を送る電力ケーブルである。ばねドラム５５０に連結された引張コイルばね５３４も示されている。ソレノイド／アクチュエータ５４６及び圧縮ばね５４８も示されている。電源５４４、光カバー５４０及びＰＣＢ５４２も示されている。
【００４５】
ロック機構はバック及びフロントクランプ５１０、５１２及びストラット５１８からなる。ストラット５１８の内部にはバッククランプ５１０内のばねドラム５５０に連結された引張ばね５３４があり、ストラット５１８の後部にスチールピンがある。非使用中のすべての使用可能なロックはバッククランプ５１０がストラット５１８の後部に引き付けられた開位置に維持される。バッククランプ５１０はストラット５１８に沿って自由に前後に移動し得るが、所定の位置にロックし得ないため、不正使用が防げる。バッククランプ５１０の内部にはソレノイド又はリニアアクチュエータ及びばねから圧力を受けるスチール板がある。スキーヤ又はスノーボーダが自分のＲＦＩＤカード又はタグをフロントクランプ５１２内に設置された受信機でスキャンさせると、ソレノイド／リニアアクチュエータピンが引っ込み、ばねがスチール板を押圧して当該スチール板をロックさせることが可能になる。このとき、スキーヤ又はスノーボーダはバッククランプ５１０を前方に引っ張って自分のスキー板、スキー板とストック又はスノーボードの上にしっかり締めることができるが、バッククランプ５１０を後方に動かすことはＲＦＩＤカード又はタグを再スキャンするまでできない。
【００４６】
フロントクランプ５１２内に、ロック時及びアンロック時に交互に赤色及び緑色に切り替えることができる２組の４つのライトを設けることができる。つや消しプラスチックカバー５４０は光を拡散させてロックが使用可能か使用不能かを明瞭にする。
【００４７】
フロントクランプ５１２内のゴムグリップ５３６は２つのストックを８の字形空間内に保持するとともに１対のスキー板を背面から押してクランプするように設計される。同じ８の字形空間はスノーボードをしっかり保持するためにも設計されている。バッククランプ５１０は、２つのスキー板を背面から押してしっかりクランプすることができる又はスノーボードを中央部にしっかり保持することができるゴムグリップ５３８を有する。
【００４８】
スキーヤ又はスノーボーダが自分のＲＦＩＤカード又はタグを再スキャンすると、ソレノイド／リニアアクチュエータピン５４６がばね荷重スチール板５１９を前方へ押し、再び起動されるまでそのまま押し続ける。スチール板５１９が開放されると、バリヤがクランプ内に押し込まれることによって引っ張りばね５３４によりバッククランプ５１０がストラット５１８の後部に引っ張られる。
【００４９】
図２１は、本発明によるスキー板、スキー板とストック又はスノーボードをしっかり固定し得る他の装置６００を示す。図２１に示すように、水平支持部材６１０が存在し、この支持部材上に、バッククランプ５１０及びフロントクランプ５１２を備える複数のロック部材を備え、これらのロック部材はスキー板、スキー板とストック又はスノーボードを係合保持するために使用できる。
【００５０】
図２２及び図２３はクランプ機構の拡大図であり、ストラット５１８により連結されたバッククランプ５１０及びフロントクランプ５１２を示す。図２３に示すように、バッククランプ５１０はストラット５１８の長さに沿ってスライドしロックすることによってフロントクランプとバッククランプとの間にスキー板、スキー板とストック又はスノーボードを固定することができる。
【００５１】
図２４は他の装置７００を示し、この装置は２つの足部７１６、７１８をそれぞれ備える２つの脚部７１２及び７１４に取り付けられたクランプ装置を備える。図２４に示すように、バッククランプ７２４及びフロントクランプ７２２を有する複数のクランプ機構が存在する。バッククランプ７２４はロック機構を構成するためにフロントクランプ７２２に対してスライドし得る。
【００５２】
図２５は他の装置８００を示し、この装置は２つの脚部８１２、８１４を有するスタンドと、広告部材８１８を取り付けることができる上部支持部材８１６を備える。装置８００は水平支持部材８１７を備え、この支持部材上に複数のクランプ機構が存在し、これらのクランプ機構ではクランプ機構を与えるためにバッククランプ８２２がフロントクランプ８２０に対してスライドし得る。
【００５３】
図２６及び図２７は本発明による他のクランプ機構９００を示す。図２６はクランプ機構９００の斜視図であり、図２７はクランプ機構９００の底面図である。  図に示すように、クランプ機構９００はバッククランプ９１０及びフロントクランプ９１２を備える。バック及びフロントクランプ９１０、９１２は、バッククランプ９１０が固定すべきスキー板、スキー板とストック又はスノーボードなどの用具に係合すべく前後に容易に移動し得るようにストラット９１８にボルト止めされる。図２７はバック及びフロントクランプ９１０、９１２間に螺旋ケーブル９２４が存在することを示している。螺旋ケーブル９２４はソレノイド／リニアアクチュエータに電力を供給し、命令を送る電力ケーブルである。
【００５４】
本発明の特定の実施形態について記載したが、記載した実施形態から逸脱するものも本発明の範囲に含まれることが考えられよう。例えば、遠隔的にアクティブ及び非アクティブにすることができる任意の適切なタイプのロック機構を使用することができる。更に、ロック機構は、少なくとも１つ以上のスキー板、スキー板とストック、スキーストック及び／又はスノーボードをしっかり固定することができる任意の適切なタイプの機械的ロック手段を備えることができる。各ロック装置はスキー板、１対のスキー板及び／又はスキーストック又は１対のスキーストックを保持するために使用することもできる。装置は太陽電池、風力発電、蓄電池及び／又は固定電源などの任意の適切な手段を用いて給電することもできる。
【図１】
2013500754.tif 000003
【図２】
2013500754.tif 000004
【図３】
2013500754.tif 000005
【図４】
2013500754.tif 000006
【図５】
2013500754.tif 000007
【図６】
2013500754.tif 000008
【図７】
2013500754.tif 000009
【図８】
2013500754.tif 000010
【図９】
2013500754.tif 000011
【図１０】
2013500754.tif 000012
【図１１】
2013500754.tif 000013
【図１２】
2013500754.tif 000014
【図１３】
2013500754.tif 000015
【図１４】
2013500754.tif 000016
【図１５】
2013500754.tif 000017
【図１６】
2013500754.tif 000018
【図１７】
2013500754.tif 000019
【図１８】
2013500754.tif 000020
【図１９】
2013500754.tif 000021
【図２０】
2013500754.tif 000022
【図２１】
2013500754.tif 000023
【図２２】
2013500754.tif 000024
【図２３】
2013500754.tif 000025
【図２４】
2013500754.tif 000026
【図２５】
2013500754.tif 000027
【図２６】
2013500754.tif 000028
【図２７】
2013500754.tif 000029
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
安全なスキー板、スキーストック及び／又はスノーボードロック装置であって、前記装置は、
支持体と、
前記支持体に結合され、少なくとも１つ以上のスキー板、スキー板とスキーストック、スキーストック及び／又はスノーボードを安全にロックし得る少なくとも１つのロック機構とを備え、
前記少なくとも１つのロック機構は無線制御手段を用いてアクティブにすることができる、
ことを特徴とする、安全なスキー板、スキーストック及び／又はスノーボードロック装置。
【請求項２】
前記スキー板、スキーストック及び／又はスノーボードロック装置は、盗難を防止できるとともに無線制御手段を用いてアクティブ化できる、請求項１記載の安全なスキー板、スキーストック及び／又はスノーボードロック装置。
【請求項３】
前記無線アクティブ化手段はカード又はタグを含む無線周波数識別（ＲＦＩＤ）システムである、請求項１又は２記載の安全なスキー板、スキーストック及び／又はスノーボードロック装置。
【請求項４】
前記支持体は、少なくとも２つ以上の又は複数の垂直又はほぼ垂直の脚部を備える、請求項１−３のいずれかに記載の安全なスキー板、スキーストック及び／又はスノーボードロック装置。
【請求項５】
前記スキー板、スキーストック及び／又はスノーボードロック装置の脚部に少なくとも１つ以上の水平又はほぼ水平の支持部材が取り付けられ、前記水平又はほぼ水平の支持部材に、少なくとも１つ以上のスキー板、スキー板とスキーストック、スキーストック及び／又はスノーボードを安全に固定し得る少なくとも１つ以上、少なくとも２つ以上又は複数のロック機構が存在する、請求項４記載の安全なスキー板、スキーストック及び／又はスノーボードロック装置。
【請求項６】
前記ロック機構は、少なくとも１つ以上のスキー板、スキー板とスキーストック、スキーストック及び/又はスノーボードと係合しそれらを締め付けることができる任意の適切な機械的手段である、請求項１−５のいずれかに記載の安全なスキー板、スキーストック及び／又はスノーボードロック装置。
【請求項７】
前記ロック機構は、一連のＵ字形部材を備える回転ロック機構であり、前記Ｕ字形部材がスキー板、スキー板とスキーストック、スキーストック及び／又はスノーボードの周囲にスナグフィットする、請求項１−６のいずれかに記載の安全なスキー板、スキーストック及び／又はスノーボードロック装置。
【請求項８】
前記ロック機構は、ラッチと、スノーボードを保持し得る第１のスロット、１つ以上のスキーストックを保持しうる第２のスロット及び１つ又は１対のスキー板を保持し得る第３のスロットとを備える、請求項１−７のいずれかに記載の安全なスキー板、スキーストック及び／又はスノーボードロック装置。
【請求項９】
前記ロック機構の動作は、ＲＦＩＤカード又はタグを含むプリペイド電子無線システムによって制御される、請求項１−８のいずれかに記載の安全なスキー板、スキーストック及び／又はスノーボードロック装置。
【請求項１０】
支払いはＲＦＩＤカード又はタグを前記ロック装置上の受信機でスキャンすることによって行われるか、支払いはスキーヤ／スノーボーダに所定期間前記ロック装置の使用を可能にするＲＦＩＤカード又はタグに対して前もって行われるため、前記ＲＦＩＤカード又がタグが前記いずれかの支払いのために受信機でスキャンされると、特定の利用者を識別し、空スペースをスキーや又はスノーボ−ダにスキー板、スキーストック及び／又はスノーボードの保管のために使用可能にすることができる、請求項９記載の安全なスキー板、スキーストック及び／又はスノーボードロック装置。
【請求項１１】
前記ロック装置は、ロックが使用可能であるか使用不能であるかをスキーや又はスノーボーダに知らせるために使用し得る一連のＬＥＤを備え、前記ロック装置は太陽電池（太陽電池パネル）、風力発電機、蓄電池及び／又は固定電源を備える、請求項１−１０のいずれかに記載の安全なスキー板、スキーストック及び／又はスノーボードロック装置。
【請求項１２】
前記ロック機構はストラットを備え、前記ストラットは一端に固定されたフロントクランプ及び前記ストラットに沿ってスライドしロックし得るバッククランプを有し、それによって少なくとも１つ以上のスキー板、スキー板とスキーストック、スキーストック及び／又はスノーボードを固定する、請求項１−１１のいずれかに記載の安全なスキー板、スキーストック及び／又はスノーボードロック装置。
【請求項１３】
前記ロック機構は、ＲＦＩＤカード又はタグが前記ロック装置上の受信機でスキャンされる前記ロック装置が動作可能になるまで、ばねによって前記ストラットの後部に引っ込められるバッククランプを備える、請求項１−１２のいずれかに記載の安全なスキー板、スキーストック及び／又はスノーボードロック装置。
【請求項１４】
前記ロック機構はロック板を備え、前記ロック板は、前記ロック装置が動作可能になるとき、スキーヤ又はスノーボーダが前記バッククランプをスキー板、スキー板とスキーストック、スキーストック及び／又はスノーボードに接するまで引き寄せることを許すが、ＲＦＩＤカード又はタグが前記ロック装置上の受信機で再びスキャンされるまで、前記バッククランプが引っ込むのを阻止し、それによって少なくとも１つ以上のスキー板、スキー板とスキーストック、スキーストック及び／又はスノーボードを前記フロント及びバッククランプ間に固定する、請求項１−１３のいずれかに記載の安全なスキー板、スキーストック及び／又はスノーボードロック装置。
【請求項１５】
スキー板、スキーストック及び／又はスノーボードを固定する方法であって、前記方法は、
支持体を準備するステップ、
前記支持体に結合され、少なくとも１つ以上のスキー板、スキー板とスキーストック、スキーストック及び／又はスノーボードを安全にロックし得る少なくとも１つのロック機構を準備するステップを備え、
前記少なくとも１つのロック機構は無線制御手段を用いてアクティブにすることができる、
ことを特徴とする、スキー板、スキーストック及び／又はスノーボードを固定する方法。
【国際調査報告】
2013500754.tif 000030
2013500754.tif 000031
2013500754.tif 000032
2013500754.tif 000033
2013500754.tif 000034